(57)【要約】【課題】この発明は、全体の中でユーザが希望する日時を容易に指定してその部分の番組表を表示可能とし、ユーザにとっての取り扱いを便利にするようにした番組表表示装置及び番組表表示方法を提供することを目的としている。【解決手段】日付軸と時間軸とで形成された特定の日時範囲を示す面を、日付単位及び所定時間単位で分割することによって複数の単位指定領域７３を配列した日時指定切換画面を表示させる。そして、この日時指定切換画面上で所定の単位指定領域７３を選択すると、その選択された単位指定領域７３で指定される日時に対応する部分の電子番組表が画面表示される。【選択図】    図６
2006108724.tif 000002
【特許請求の範囲】
【請求項１】
取得した番組情報に基づいて作成した電子番組表から、特定された日時に対応する部分を画面表示させる番組表表示装置であって、
日付軸と時間軸とで形成された特定の日時範囲を示す面を、日付単位及び所定時間単位で分割することによって複数の単位指定領域を配列した日時指定切換画面を表示させる指定画面表示手段と、
前記指定画面表示手段で表示された日時指定切換画面上で所定の単位指定領域を選択可能とする選択手段と、
前記選択手段で選択された単位指定領域で指定される日時に対応する部分の前記電子番組表を画面表示させる表示制御手段とを具備することを特徴とする番組表表示装置。
【請求項２】
前記選択手段は、前記指定画面表示手段で表示された日時指定切換画面のうち、現在より過去になった日時に対応する単位指定領域を選択不可に制御することを特徴とする請求項１記載の番組表表示装置。
【請求項３】
前記選択手段は、前記指定画面表示手段で表示された日時指定切換画面のうち、前記番組情報が取得されていない日時に対応する単位指定領域を選択不可に制御することを特徴とする請求項１記載の番組表表示装置。
【請求項４】
前記選択手段は、前記指定画面表示手段で表示された日時指定切換画面の単位指定領域を、複数の単位指定領域単位で選択可能とすることを特徴とする請求項１記載の番組表表示装置。
【請求項５】
前記指定画面表示手段は、設定された検索条件に対応する番組が存在する日時の単位指定領域を、他の単位指定領域と区別して表示することを特徴とする請求項１記載の番組表表示装置。
【請求項６】
前記指定画面表示手段は、予約された番組が存在する日時の単位指定領域を、他の単位指定領域と区別して表示することを特徴とする請求項１記載の番組表表示装置。
【請求項７】
前記指定画面表示手段は、現在より過去になった日時に対応する単位指定領域を、他の単位指定領域と区別して表示することを特徴とする請求項１記載の番組表表示装置。
【請求項８】
前記指定画面表示手段は、前記番組情報が取得されていない日時に対応する単位指定領域を、他の単位指定領域と区別して表示することを特徴とする請求項１記載の番組表表示装置。
【請求項９】
前記指定画面表示手段は、日付または時間帯に応じて、前記複数の単位指定領域を選択的に色分けすることを特徴とする請求項１記載の番組表表示装置。
【請求項１０】
前記指定画面表示手段は、前記日時指定切換画面をその時間軸に沿って複数の時間帯に分割し、各時間帯毎に前記単位指定領域の色を変えて表示することを特徴とする請求項９記載の番組表表示装置。
【請求項１１】
前記指定画面表示手段は、特定の日付に対応する前記単位指定領域の色を、他の日付に対応する前記単位指定領域の色と変えて表示することを特徴とする請求項９記載の番組表表示装置。
【請求項１２】
取得した番組情報に基づいて作成した電子番組表から、特定された日時に対応する部分を画面表示させる番組表表示方法であって、
日付軸と時間軸とで形成された特定の日時範囲を示す面を、日付単位及び所定時間単位で分割することによって複数の単位指定領域を配列した日時指定切換画面を表示する工程と、
表示された日時指定切換画面上で所定の単位指定領域を選択する工程と、
選択された単位指定領域で指定される日時に対応する部分の前記電子番組表を画面表示する工程とを具備することを特徴とする番組表表示方法。
【発明の詳細な説明】
【技術分野】
【０００１】
この発明は、例えばデジタルテレビジョン放送受信装置等に使用して好適する番組表表示装置及び番組表表示方法に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
このようなデジタルテレビジョン放送を受信するデジタル放送受信装置にあっては、放送信号から取得したＥＰＧ（Electronic Program Guide）情報に基づいて電子番組表を作成し、画面に映像表示している。そして、ユーザは、映像表示された電子番組表から所望の番組を選択して、視聴や録画予約等を行なうことができる。
【０００４】
ところで、ＥＰＧ情報には、放送される多数のチャンネルのそれぞれに対して約１週間分もの電子番組表を作成可能な情報が含まれている。このため、デジタル放送受信装置においては、限られた画面内に全ての電子番組表を同時に表示させることはできないので、電子番組表を部分的に切り換えながら画面表示させることになる。この場合、いかにユーザに見易い形態で効率良く表示できるように工夫を施すかが重要となる。
【０００５】
特許文献１には、チャンネル番号軸と時間軸とで構成される番組表の時間軸方向を所定時間単位に区切り、各区切り枠に文字を表示せずに該当する番組のジャンルを識別するための色を付す技術が開示されている。
【０００６】
また、特許文献２には、時間軸の広範囲及びチャンネル軸の広範囲にわたって、各番組がジャンル毎に設定された色によって識別可能な態様で番組情報を表示する技術が開示されている。
【０００７】
さらに、特許文献３には、ジャンルスキップモードでは、ユーザが予め設定したお気に入りジャンルの番組以外は淡色表示され、カーソル移動の対象とならないようにすることで、ユーザがお気に入りジャンルの番組を迅速に探すことができるようにした技術が開示されている。
【特許文献１】特開２００１−１９７３９０号公報
【特許文献２】特開２００１−２４５２３３号公報
【特許文献３】特開２００１−２３８１４５号公報
【発明の開示】
【発明が解決しようとする課題】
【０００８】
そこで、この発明は上記事情を考慮してなされたもので、全体の中でユーザが希望する日時を容易に指定してその部分の番組表を表示可能とし、ユーザにとっての取り扱いを便利にするようにした番組表表示装置及び番組表表示方法を提供することを目的とする。
【課題を解決するための手段】
【０００９】
この発明に係る番組表表示装置は、取得した番組情報に基づいて作成した電子番組表から、特定された日時に対応する部分を画面表示させるものであって；日付軸と時間軸とで形成された特定の日時範囲を示す面を、日付単位及び所定時間単位で分割することによって複数の単位指定領域を配列した日時指定切換画面を表示させる指定画面表示手段と；指定画面表示手段で表示された日時指定切換画面上で所定の単位指定領域を選択可能とする選択手段と；選択手段で選択された単位指定領域で指定される日時に対応する部分の電子番組表を画面表示させる表示制御手段とを備えるようにしたものである。
【００１０】
また、この発明に係る番組表表示方法は、取得した番組情報に基づいて作成した電子番組表から、特定された日時に対応する部分を画面表示させる方法であって；日付軸と時間軸とで形成された特定の日時範囲を示す面を、日付単位及び所定時間単位で分割することによって複数の単位指定領域を配列した日時指定切換画面を表示する工程と；表示された日時指定切換画面上で所定の単位指定領域を選択する工程と；選択された単位指定領域で指定される日時に対応する部分の電子番組表を画面表示する工程とを備えるようにしたものである。
【発明の効果】
【００１１】
上記した発明によれば、日付軸と時間軸とで形成された特定の日時範囲を示す面を、日付単位及び所定時間単位で分割することによって複数の単位指定領域を配列した日時指定切換画面を表示させ、この日時指定切換画面上で選択された単位指定領域で指定される日時に対応する部分の電子番組表を画面表示させるようにしている。このため、全体の中でユーザが希望する日時を容易に指定してその部分の番組表を表示可能となり、ユーザにとっての取り扱いを便利にすることができる。
【発明を実施するための最良の形態】
【００１２】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１３】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１４】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１５】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１６】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１７】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１８】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１９】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２０】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２１】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２２】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２３】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２４】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２５】
そして、このチューナ４５で選局された放送信号は、ＰＳＫ（Phase Shift Keying）復調器４６に供給されて、デジタルの映像信号及び音声信号に復調された後、信号処理部４７に出力される。
【００２６】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２７】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２８】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００２９】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３０】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３１】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３２】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３３】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００３４】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３５】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３６】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３７】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３８】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００３９】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４０】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４１】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４２】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４３】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４４】
図４は、このデジタルテレビジョン放送受信装置１１が電子番組表を表示する動作を説明するためのフローチャートを示している。この動作は、ユーザがリモートコントローラ１７の番組表キー１７ｈを操作することにより開始（ステップＳ４ａ）される。
【００４５】
すると、制御部６１は、ステップＳ４ｂで、予め放送信号やネットワーク等を介して取得した番組情報であるＥＰＧ情報に基づいて電子番組表を作成し、その一部を映像表示器１４に表示させる。この映像表示器１４に表示される電子番組表の部分は、前回に表示されたチャンネルや日時等のラスト条件に基づいて決定される。
【００４６】
図５は、映像表示器１４に表示された電子番組表の一例を示している。この電子番組表は、水平方向に６つの放送局（チャンネル）を配列し、垂直方向に５時間分の時間枠を配列して、番組を表示している。
【００４７】
そして、この電子番組表は、リモートコントローラ１７のカーソルキー１７ｆを操作することにより、上下左右方向に選択的にスクロールさせることが可能である。また、リモートコントローラ１７のページ切換キー１７ｉを操作すれば、１画面分の電子番組表を上下左右方向に選択的にスキップさせることが可能である。さらに、後述する日時指定切換機能を用いることにより、指定した日時を含む番組表の部分にジャンプして、その番組表の表示に切り換えられるようになる。
【００４８】
ここで、この電子番組表は、６つの放送局（チャンネル）に対応した表示欄Ａ〜Ｆを有し、各表示欄Ａ〜Ｆが、それぞれ、チャンネル番号表示領域Ａ１〜Ｆ１と、放送局名表示領域Ａ２〜Ｆ２と、番組表示領域Ａ３〜Ｆ３とから構成されている。
【００４９】
この場合、例えば、表示欄Ｄ〜Ｆに示すように、同じ放送局が複数（図示の場合は３つ）のチャンネル番号を有する場合には、３つの放送局名表示領域Ｄ２〜Ｆ２が１つの共通の放送局名表示領域として使用される。
【００５０】
また、同じ放送局が複数（図示の場合は３つ）のチャンネル番号でそれぞれ同じ番組を放送する、いわゆるイベント共有が行なわれている時間帯では、３つの番組表示領域Ｄ３〜Ｆ３が１つの共通の番組表示領域として使用される。
【００５１】
さらに、この電子番組表では、その６つの表示欄Ａ〜Ｆの下部に、リモートコントローラ１７のカーソルキー１７ｆによって選択している番組のチャンネル番号、タイトル及び放送時間等を示す選択番組表示領域Ｇが設けられる。この場合、選択されている番組「Ｊ２」は、表示欄Ａ〜Ｆ内において、その番組の表示領域が他の番組の表示領域と色を変えて表示されるが、図５では、ハッチングで囲むことにより表現している。
【００５２】
また、この電子番組表では、その左右に、上から下に向けて１時間毎の時間枠を示す５つの時間領域Ｎ１〜Ｎ５が設けられている。図５では、各時間領域Ｎ１〜Ｎ５が、それぞれ午前９時〜午後１時に対応している状態を示している。そして、現在時刻が午前１０時になると、各時間領域Ｎ１〜Ｎ５が、それぞれ午前１０時〜午後２時に対応するように切り換えられる。
【００５３】
上記のような電子番組表の表示状態で、制御部６１は、ステップＳ４ｃで、リモートコントローラ１７の青色のカラーキー１７ｍが操作されたことを検知すると、ステップＳ４ｄで、図６に示すような日時指定切換画面を映像表示器１４に表示させる。
【００５４】
この日時指定切換画面は、水平方向に１日単位で８日分の日付を配列した日付軸と、垂直方向に１時間単位で２４時間分の時間を配列した時間軸とによって、日時範囲を特定している。そして、この日時指定切換画面には、それが特定する日時範囲を示す面を、１日単位の日付と１時間単位の時間とで分割することにより、８日×２４時間＝１９２個の単位指定領域７３が形成されている。
【００５５】
そして、この日時指定切換画面では、リモートコントローラ１７のカーソルキー１７ｆを操作して所定の単位指定領域７３を選択し、決定キー１７ｇを操作することにより、その単位指定領域７３に対応する日時を設定することが可能となっている。この場合、選択された単位指定領域７３は、他の領域と色を変えて表示されるが、図６では、ハッチングで表現している。
【００５６】
ここで、電子番組表の表示状態から日時指定切換画面に切り換えられると、その日時指定切換画面では、現在の日時から１週間先までの範囲内における単位指定領域７３が選択可能となる。具体的に言えば、図５に示した電子番組表のように、現在の日時が１０月１４日（水）午前９時１３分のとき日時指定切換画面に切り換えられると、その日時指定切換画面では、図６に示すように、水平方向の８日分の日付が１４日（水）〜２１日（水）となり、その範囲の日時が単位指定領域７３単位で選択可能となる。
【００５７】
ただし、既に過去になった時間帯の単位指定領域７３、つまり、図６では１４日（水）の午前９時以前の範囲と、ＥＰＧ情報がまだ取得されず電子番組表が作成されていない時間帯の単位指定領域７３、つまり、図６では２１日（水）の午前９時以降の範囲とにおいては、リモートコントローラ１７のカーソルキー１７ｆを操作しても単位指定領域７３が選択されないようになっている。
【００５８】
この場合、選択可能な単位指定領域７３と選択不可能な単位指定領域７３とは、色を変えて表示されるが、図６では、選択不可能な単位指定領域７３を斜めのクロス線で示している。このとき、既に過去になった時間帯の単位指定領域７３と、ＥＰＧ情報がまだ取得されず電子番組表が作成されていない時間帯の単位指定領域７３とは、異なる色で表示される。
【００５９】
そして、上記のような日時指定切換画面の表示状態において、制御部６１は、ステップＳ４ｅで、リモートコントローラ１７のカーソルキー１７ｆが操作されたことを検知すると、ステップＳ４ｆで、カーソルキー１７ｆの操作で選択された単位指定領域７３に対して選択の可否を判別する。
【００６０】
このステップＳ４ｆで単位指定領域７３が選択可能であると判断された場合（ＹＥＳ）、制御部６１は、ステップＳ４ｇで、その単位指定領域７３を選択する。また、ステップＳ４ｆで単位指定領域７３が選択不可であると判断された場合（ＮＯ）、制御部６１は、ステップＳ４ｈで、予め設定された規則に基づいて選択不可の単位指定領域７３をスキップするように制御する。
【００６１】
これは、例えば、図６において、２１日（水）の午前８時の単位指定領域７３が選択されている状態で、カーソルキー１７ｆにより同日の午前９時の単位指定領域７３を選択する操作が行なわれた場合、２１日（水）の午前９時以降の単位指定領域７３は全て選択不可であるため、制御部６１は、例えば、自動的に、選択可能な１４日（水）の午前９時の単位指定領域７３を選択するように制御する。
【００６２】
そして、上記ステップＳ４ｇまたはステップＳ４ｈの後、制御部６１は、ステップＳ４ｉで、リモートコントローラ１７の決定キー１７ｇが操作されたことを検知すると、ステップＳ４ｊで、選択された単位指定領域７３に対応する日について、その単位指定領域７３で示される時間と現在選局しているチャンネルとが画面のほぼ中心となるようにして映像表示器１４に電子番組表を表示させ、処理を終了（ステップＳ４ｋ）する。
【００６３】
上記した日時指定による電子番組表の切り換え動作を具体的に説明する。すなわち、図５に示した電子番組表は、図６に示した日時指定切換画面で言えば、１４日（水）の午前１１時に対応する単位指定領域７３が選択設定されたときに対応している。
【００６４】
このため、図５に示した電子番組表から日時指定切換画面に切り換えると、１４日（水）の午前１１時に対応する単位指定領域７３が選択された状態を、ユーザが見ることができる。これにより、ユーザは、先に表示していた電子番組表の全体に対する位置付けを視覚的に容易に把握可能となる。
【００６５】
この状態で、日時指定切換画面上で、リモートコントローラ１７のカーソルキー１７ｆを操作して１４日（水）の午後６時に対応する単位指定領域７３が選択され、決定キー１７ｇの操作で設定されたとすると、図７に示すように、１４日（水）について、同じチャンネル（地上デジタル放送１４１）が画面のほぼ中央部分に配され、午後６時が画面のほぼ中央部分に配されるように、電子番組表が切り換え表示される。
【００６６】
また、日時指定切換画面上で、リモートコントローラ１７のカーソルキー１７ｆを操作して１９日（月）の午前１１時に対応する単位指定領域７３が選択され、決定キー１７ｇの操作で設定されたとすると、図８に示すように、１９日（月）について、同じチャンネル（地上デジタル放送１４１）が画面のほぼ中央部分に配され、午前１１時が画面のほぼ中央部分に配されるように、電子番組表が切り換え表示される。
【００６７】
これにより、ユーザは、全体の中で希望する日時を容易に指定して、その日時に対応する部分の電子番組表を表示させることが可能となる。
【００６８】
また、このデジタルテレビジョン放送受信装置１１は、例えばジャンルやキーワード等の検索条件をユーザが入力することにより、入力した時点から１週間先までの検索条件に対応した番組を自動的に検索することが可能である。
【００６９】
このため、図９に示すように、日時指定切換画面上で検索条件に対応した番組が存在する時間帯の単位指定領域７３を色分け（図９では縦縞で示す）するようにすれば、ユーザが電子番組表を切り換える際に便利になる。
【００７０】
さらに、日時指定切換画面上で番組予約した時間帯の単位指定領域７３を色分け（図９ではマークＭで示す）するようにすれば、ユーザが電子番組表を切り換える際に便利になる。
【００７１】
また、日時指定切換画面上で、リモートコントローラ１７のカーソルキー１７ｆを操作して単位指定領域７３を選択する際には、種々の規則が考えられる。例えば、図６で１４日（水）の午後１１時に対応する単位指定領域７３が選択され、さらに、下方向を選択するようにカーソルキー１７ｆが操作された場合には、自動的に１５日（木）の午前０時に対応する単位指定領域７３が選択されるようにすることができる。
【００７２】
さらに、例えば、図６で２０日（火）の午後３時に対応する単位指定領域７３が選択され、さらに、右方向を選択するようにカーソルキー１７ｆが操作された場合には、自動的に１４日（木）の午後４時に対応する単位指定領域７３が選択されるようにすることが可能である。
【００７３】
また、上記した実施の形態では、日時指定切換画面上から、各単位指定領域７３を個別に（１時間単位で）選択するようにしたが、例えば日時指定切換画面上で垂直方向に連続する５つの単位指定領域７３単位（５時間単位）で選択可能とすることもできる。
【００７４】
この場合、各単位指定領域７３を単独に選択するか、複数の単位指定領域７３単位で選択可能とするかは、例えば図１０に示すような領域選択画面を表示することによって、ユーザに選択させることが可能である。
【００７５】
また、複数の単位指定領域７３単位で選択する場合、カーソルキー１７ｆで上方向または下方向に選択していくと、例えば図６で、午前０時よりも上側あるいは下側にはみだしていく部分が生じることになる。このような場合、そのはみだした部分は無効とし、単位指定領域７３の選択に供しないものとなる。
【００７６】
ここで、図６に示した日時指定切換画面において、日付または時間帯に応じて複数の単位指定領域７３を選択的に色分けするようにすれば、ユーザにとってより一層見易く取り扱いを便利にすることができる。
【００７７】
例えば、図１１に示すように、１日を、午前０時〜午前６時、午前６時〜午後１２時、午後１２時〜午後６時、午後６時〜午前０時の４つの時間帯に分け、各時間帯毎に単位指定領域７３の色を変えて表示することができる。
【００７８】
また、図１２に示すように、特定の日付（例えば日曜日）に対応する単位指定領域７３の色を、他の日付に対応する単位指定領域７３の色と変えて表示させることができる。
【００７９】
さらに、日時指定切換画面の色分けについては、時間や日付を表示している文字部分を色分けしたり、図５に示した電子番組表が色分けされている場合、それに関連付けた色分けを行なうようにしても良いものである。
【００８０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００８１】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置が電子番組表を表示する動作を説明するために示すフローチャート。
【図５】同実施の形態におけるデジタルテレビジョン放送受信装置で表示される電子番組表の一例を説明するために示す図。
【図６】同実施の形態におけるデジタルテレビジョン放送受信装置で表示される日時指定切換画面の一例を説明するために示す図。
【図７】同実施の形態における日時指定切換画面に基づいて切り換えられた電子番組表の一例を説明するために示す図。
【図８】同実施の形態における日時指定切換画面に基づいて切り換えられた電子番組表の他の例を説明するために示す図。
【図９】同実施の形態におけるデジタルテレビジョン放送受信装置で表示される日時指定切換画面の他の例を説明するために示す図。
【図１０】同実施の形態におけるデジタルテレビジョン放送受信装置で表示される領域選択画面の一例を説明するために示す図。
【図１１】同実施の形態におけるデジタルテレビジョン放送受信装置で表示される日時指定切換画面を色分けした一例を説明するために示す図。
【図１２】同実施の形態におけるデジタルテレビジョン放送受信装置で表示される日時指定切換画面を色分けした他の例を説明するために示す図。
【符号の説明】
【００８２】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ、７３…単位指定領域。
【図１】
2006108724.tif 000003
【図２】
2006108724.tif 000004
【図３】
2006108724.tif 000005
【図４】
2006108724.tif 000006
【図５】
2006108724.tif 000007
【図６】
2006108724.tif 000008
【図７】
2006108724.tif 000009
【図８】
2006108724.tif 000010
【図９】
2006108724.tif 000011
【図１０】
2006108724.tif 000012
【図１１】
2006108724.tif 000013
【図１２】
2006108724.tif 000014